(57)【特許請求の範囲】
【請求項１】
基板と、該基板に立設され両側に嵌合挟持部を有する板受け部とからなり、該基板の両端部には立上り段部が形成されており、該立上り段部の両方には通気孔が設けられていることを特徴とする接合金具
【請求項２】
該立上り段部の一方は他方よりも緩傾斜とされている請求項１に記載の接合金具
【請求項３】
該板受け部両側の嵌合挟持部の一方または両方の内側奥端にはクッション材が挿入されている請求項１または２に記載の接合金具
【請求項４】
請求項１または２または３に記載の接合金具を下地面上に連続的に配置して取付け、該接合金具の板受け部両側の嵌合挟持部に接合すべき一対の建築板の端部を嵌合挟持せしめたことを特徴とする建築板の接合構造
【請求項５】
該建築板の表面には端部にまで達する溝状の凹部が複数本縦方向に並列して形成されており、該建築板の両端を表面から該凹部の深さよりも深く切欠いて嵌合突部が形成されており、該接合金具の板受け部両側の嵌合挟持部には該建築板の嵌合突部が嵌合挟持されている請求項４に記載の建築板の接合構造
【発明の詳細な説明】
【０００１】
【発明の属する技術分野】
本発明は例えば縦継ぎ用外壁板のような建築板を下地面上に取付ける際に使用される接合金具および該接合金具を使用して建築板を接合する構造に関するものである。
【０００２】
【従来の技術】
従来、例えば縦継ぎ用外壁板を下地面上に取付ける場合、図６に示すように壁躯体柱(16)に横胴縁(17)を差渡し、該横胴縁(17)に接合金具(4A)を所定間隔をおいて不連続に取付け、該接合金具(4A)によって上下の外壁板(1) を接合固定しかつ横胴縁(17)から所定間隔を維持する構成が提供されている( 特公平６−６５８１９号）。
上記構成では接合金具(4A)相互間においては外壁板(1) と横胴縁(17)との間から矢印に示すように空気が流通することが出来、柱や胴縁、あるいは外壁板(1) が湿気の害を受けず、建築物の耐久性を向上させることができる。
【０００３】
【発明が解決しようとする課題】
上記従来の構成では、接合金具(4A)が不連続に配置されているので、外壁板(1) の取付け強度が充分でなく、外壁板(1) に反りの発生を阻止することが出来なかった。しかし接合金具(4A)を連続して配置すれば、外壁板(1) 裏側の通気が阻害されてしまう。
【０００４】
【課題を解決するための手段】
本発明は上記従来の課題を解決するための手段として、基板(5) と、該基板(5) に立設され両側に嵌合挟持部(10A,10B) を有する板受け部(6) とからなり、該基板(5) の両端部には立上り段部(7A,7B) が形成されており、該立上り段部(7A,7B) の両方には通気孔(18A,18B) が設けられている接合金具(4) を提供するものである。
該接合金具(4) の該立上り段部(7A,7B) の一方は他方よりも緩傾斜とされていることが望ましく、更に該接合金具(4) の該板受け部(6) 両側の嵌合挟持部(10A,10B) の一方または両方の内側奥端にはクッション材(13)が挿入されていることが望ましい。
更に本発明では上記接合金具(4) を下地(17)の面上に連続的に配置して取付け、該接合金具(4) の板受け部(6) 両側の嵌合挟持部(10A,10B) に接合すべき一対の建築板(1) の端部を嵌合挟持せしめた建築板(1) の接合構造が提供される。
該建築板(1) の表面には端部にまで達する溝状の凹部(2) が複数本縦方向に並列して形成されており、該建築板(1) の両端を表面から該凹部(2) の深さよりも深く切欠いて嵌合突部(3) が形成されており、該接合金具(4) の板受け部(6) 両側の嵌合挟持部(10A,10B) には該建築板(1) の嵌合突部(3) が嵌合挟持されていることが望ましい。
【０００５】
【作用】
本発明の接合金具(4) を下地(17)の面上に連続的に配置して取付け、該接合金具(4) の板受け部(6) 両側の嵌合挟持部(10A,10B) に接合すべき一対の建築板(1) の端部を嵌合挟持せしめる。
該接合金具(4) の基板(5) の両端部には立上り段部(7A,7B) が形成されているから、該建築板(1) は下地(17)の面上から所定間隔を維持されている。したがって該建築板(1) の裏面においては、該接合金具(4) が連続して配置されていても、該接合金具(4) の通気孔(18A,18B) を介して空気が流通することが出来る。
【０００６】
【実施例】
本発明を図１〜図５に示す一実施例によって説明すれば、建築板(1) は例えば縦継ぎ用外壁板であって、木質繊維補強セメント板等からなり、表面には溝状の凹部(2) が複数本縦に並列して設けられ模様とされている。
該建築板(1) の両端又は一端を表面から切欠いて嵌合突部(3) が形成されているが、図２に示すように該切欠き深さＤは該建築板(1) の凹部(2) の深さｄよりも深く設定されている（Ｄ＞ｄ）。したがって該建築板(1) の凹部(2) は端部において該切欠きによって削除され、該嵌合突部(3) には該凹部(2) もしくはその痕跡は全く存在しない。
【０００７】
図３には上記建築板(1) を接合し下地(17)の面上に固定するための接合金具(4) が示される。該接合金具(4) は基板(5) と、該基板(5) 上に立設されている板受け部(6) とからなり、該基板(5) の上下両端部には立上り段部(7A,7B) が形成されており、該立上り段部(7A,7B) には通気孔(18A,18B) が複数個横並びに設けられており、そして上側の立上がり段部(7A)は下側の立上がり段部(7B)よりも緩傾斜とされており、更に該立上がり段部(7A,7B) の外側には水平部(8A,8B) が延設されている。該板受け部(6) には上下一対のΓ形受け板(9A,9B) が差出されており、該受け板(9A,9B) の内側には該建築板(1) の嵌合突部(3) の嵌合挟持部(10A,10B) が形成されている。
該受け板(9A,9B) の端縁下側には凸条(11A,11B) が形成されており、上側の嵌合挟持部(10A) の奥壁中間より下側には段部を介して当接面(12)が形成されており、下側の受け板(9B)の内側奥端にはクッション材(13)が挿入されている。該クッション材(13)はゴム、プラスチック等の発泡体や不織布を材料とする。
【０００８】
上記接合金具(4) の複数個は、図４に示すように基板(5) の上端水平部(8A)の釘穴(14)を介して釘(15)、ビス等によって、壁躯体柱(16)の外側において該躯体柱(16)間に差渡されている下地である横胴縁(17)の面上に連続して止着される。そして図５に示すように該接合金具(4) の板受け部(6) の上下嵌合挟持部(10A,10B) には上下建築板(1) の嵌合突部(3) が夫々嵌合挟持される。
【０００９】
この場合、上側の建築板(1) の下側嵌合突部(3) の端面を該接合金具(4) の板受け部(6) の上側の嵌合挟持部(10A) の当接面(12)に当てて水平出しを行なう。更に下側の建築板(1) の嵌合突部(3) の上側嵌合突部(3) の端面を、該接合金具(4) の板受け部(6) の下側の嵌合挟持部(10B) のクッション材(13)に当てて、建築板(1) の伸縮を該クッション材(13)で吸収する。
【００１０】
上記構成において、図５に示すように横胴縁(17)と建築板(1) との間には接合金具(4) によって所定間隔ｔが維持されている。そして該建築板(1) の裏側において空気は該接合金具(4) の立上り段部(7A,7B) の通気孔(18A,18B) を介して矢印に示すように上下に流通する。また、図２に示すように建築板(1) の端部の切欠き深さＤは、該建築板(1) の凹部(2) の深さｄよりも深く設定されているので（Ｄ＞ｄ）、該建築板(1) の凹部(2) は端部において削除され、該嵌合突部(3) には該凹部(2) もしくはその痕跡は全く存在しない。
【００１１】
したがって図５に示すように接合金具(4) の板受け部(6) の上下嵌合挟持部(10A,10B) に嵌合挟持される該建築板(1) の嵌合突部(3) と、該接合金具(4) の板受け部(6) の嵌合挟持部(10A,10B) との間、即ち該嵌合突部(3) 上面とΓ形受け板(9A,9B) の下面との間には、該建築板(1) の凹部(2) もしくはその痕跡にもとづく隙間は存在しない。
したがって図５矢印イに示すように、該建築板(1) の凹部(2) を伝って流下する雨水等は、該接合金具(4) の表側をバイパスし、該接合金具(4) の内側には侵入しない。
【００１２】
本発明の場合、該接合金具(4) の基板(5) の上側の立上り段部(7A)は下側の立上がり段部(7B)よりも、緩傾斜とされているから、施工時に、上側の建築板(1) を接合金具(4) に嵌合する際、該緩傾斜の立上り段部(7A)によって該建築板(1) はスムーズにガイドされ、施工がしやすくなる。
【００１３】
上記実施例は建築板(1) の上下の接合部に関するものであるが、本発明は建築板の左右の接合部（横継ぎ）にも適用することも出来る。また本発明の実施例では接合金具(4) の基板(5) の立上り段部(7A,7B) の一方または両方を傾斜させているが、垂直にすることも出来る。
【００１４】
【発明の効果】
本発明では、接合金具の基板の両端部に立上がり段部が設けられているので、建築板は該接合金具によって所定の間隔を維持して下地面上に接合固定されており、また該立上り段部の両方に通気孔が設けられているので、該接合金具を連続して取付け、建築板の取付け強度を向上せしめ反りを阻止した場合でも、建築板裏面における良好な通気が確保される。
【図面の簡単な説明】
図１〜図５は本発明の一実施例を示すものである。
【図１】  建築板の部分斜視図
【図２】  建築板の一部省略側断面図
【図３】  接合金具の一部省略斜視図
【図４】  接合金具を下地面上に取付けた状態の説明図
【図５】  建築板接合部分の縦断面図
【図６】  従来例における接合金具を下地面上に取付けた状態の説明図
【符号の説明】
1         建築板、外壁板
2         凹部
3         嵌合突部
4         接合金具
5         基板
6         板受け部
7A,7B     立上り段部
10A,10B   嵌合挟持部
18A,18B   通気孔
【図１】
0003919953.tif 000002
【図２】
0003919953.tif 000003
【図３】
0003919953.tif 000004
【図４】
0003919953.tif 000005
【図６】
0003919953.tif 000006
【図５】
0003919953.tif 000007